(57)【要約】【課題】ほぼ上向きの給水姿勢の場合、トラップ部の先端開口部下縁より洗浄水がオーバーフローした場合においても大きな水滴音が発生し難いものであり、漏水と間違われる恐れが少ないターントラップ式水洗便器を提供せんとするものである。【解決手段】上下回動されるトラップ部７の先端開口部１下縁にオーバーフローガイド片４を形成してなり、オーバーフローガイド片４はトラップ部７が上向きの給水姿勢の際、トラップ部７よりオーバーフローする洗浄水をトラップケース８の内側壁面９方向に振り分けることを特徴とし、さらに本発明のターントラップ式水洗便器は、トラップ部７を囲むトラップケース８内側壁面９を下方にいたるに従い内方傾斜面とし、オーバーフローする洗浄水をトラップケース８内側壁面９の該内方傾斜面１０に沿って流下せしめることを特徴とするものである。【選択図】図１
2008267003.tif 000002
【特許請求の範囲】
【請求項１】
ターントラップ式水洗便器において、上下回動されるトラップ部の先端開口部下縁にオーバーフローガイド片を形成してなり、オーバーフローガイド片はトラップ部が上向きの給水姿勢の際、トラップ部よりオーバーフローする洗浄水をトラップケース内側壁面方向に振り分けることを特徴とするターントラップ式水洗便器。
【請求項２】
トラップ部を囲むトラップケース内側壁面を下方にいたるに従い内方傾斜面とし、オーバーフローする洗浄水をトラップケース内側壁面の該内方傾斜面に沿って流下せしめることを特徴とする請求項１記載のターントラップ式水洗便器。
【発明の詳細な説明】
【技術分野】
【０００１】
本発明は、ターントラップ式水洗便器に関する。さらに詳しくは、トラップ部はほぼ上向きの給水姿勢とほぼ横向きの排水姿勢との間で上下回動される場合のほぼ上向きの給水姿勢におけるトラップ部に関するものである。
【背景技術】
【０００２】
従来から下記特許文献１に示されるターントラップ式水洗便器は知られている。即ち、便器本体のボウルの排水路に後続してトラップケースが設けられ、該トラップケース内に、前記排水路に接続されて、上下回動されるトラップ部が設けられたターントラップ式水洗便器である。このターントラップ式水洗便器は本願図４に示すほぼ上向きの給水姿勢の場合、図５に示す如くトラップ部（イ）の先端開口部（ロ）下縁より洗浄水が水滴（ホ）となってオーバーフローする場合があり、その水滴音が漏水と間違われる場合があった。（ハ）はボウル、（ニ）はトラップケースである。図６は上下回動されるトラップ部（イ）を示すもので、（ヘ）は先端開口部（ロ）を形成する先端筒である。
【特許文献１】特開２００５−１５５１４６号公報  （要約、図１）
【発明の開示】
【発明が解決しようとする課題】
【０００３】
本発明は、上記従来例におけるターントラップ式水洗便器の欠点を解決することをその課題とするもので、ほぼ上向きの給水姿勢の場合、トラップ部の先端開口部下縁より洗浄水がオーバーフローした場合においても大きな水滴音が発生し難いものであり、漏水と間違われる恐れが少ないターントラップ式水洗便器を提供せんとするものである。
【０００４】
尚、ほぼ上向きの給水姿勢の場合、トラップ部の先端開口部下縁より洗浄水がオーバーフローする原因は、給水姿勢でボウル内に貯水する貯水量が多いほど排水の際の洗浄力が高いために貯水量を多くしたいものであり、また、貯水の際に水位が揺れるために、洗浄水のオーバーフローが生じやすいものである。
【課題を解決するための手段】
【０００５】
上記課題を解決するために、本発明の請求項１にかかるターントラップ式水洗便器は、上下回動されるトラップ部の先端開口部下縁にオーバーフローガイド片を形成してなり、オーバーフローガイド片はトラップ部が上向きの給水姿勢の際、トラップ部よりオーバーフローする洗浄水をトラップケース内側壁面方向に振り分けることを特徴とし、さらに本発明の請求項２にかかるターントラップ式水洗便器は、トラップ部を囲むトラップケース内側壁面を下方にいたるに従い内方傾斜面とし、オーバーフローする洗浄水をトラップケース内側壁面の該内方傾斜面に沿って流下せしめることを特徴とするものである。
【発明の効果】
【０００６】
請求項１に記載のターントラップ式水洗便器は、上下回動されるトラップ部の先端開口部下縁にオーバーフローガイド片を形成してなり、オーバーフローガイド片はトラップ部が上向きの給水姿勢の際、トラップ部よりオーバーフローする洗浄水をトラップケース内側壁面方向に振り分けるために、トラップ部よりオーバーフローする洗浄水は二箇所に分れ、水滴は小さなものになり、水滴音も小さなものとなる。
【０００７】
また、請求項２に記載のターントラップ式水洗便器は、請求項１の効果に加え、トラップ部を囲むトラップケース内側壁面を下方にいたるに従い内方傾斜面とし、オーバーフローする洗浄水をトラップケース内側壁面の該内方傾斜面に沿って流下せしめるために、トラップ部よりオーバーフローする洗浄水の水滴がトラップケース内側壁面と衝突してもトラップケース内側壁面が内方傾斜面であるために衝突音（滴下音）は小さなものである。
【発明を実施するための最良の形態】
【０００８】
以下、本発明の実施形態について図面を参照して、詳細に説明する。図１は本発明のターントラップ式水洗便器の先端開口部１を形成する先端筒２である。先端筒２は外方に突出する鍔部３を形成している。４はオーバーフローガイド片である。オーバーフローガイド片４は取り付け部５とガイド部６から構成されている。取り付け部５は先端筒２外方に突出する鍔部３にオーバーフローガイド片４を取り付けるものであり、ガイド部６はトラップ部７から先端開口部１を通じてオーバーフローする洗浄水をガイド部６に受け、ガイド部６によってトラップケース内側壁面方向に振り分けるものである。
【０００９】
図１における（１）はオーバーフローガイド片４を取り付ける前の状態を示すものであり、（２）はオーバーフローガイド片４を取り付けた後の状態を示すものである。図２に示す先端開口部１を形成する先端筒２は外方に突出する鍔部３を形成している。オーバーフローガイド片４は取り付け部５とガイド部６から構成されている。取り付け部５は先端筒２外方に突出する鍔部３にオーバーフローガイド片４を取り付けるものであり、ガイド部６はトラップ部７から先端開口部１を通じてオーバーフローする洗浄水をガイド部６が堰となって遮り、ガイド部６の両側よりトラップケース内側壁面方向に振り分けるものである。
【００１０】
図２において、（１）はオーバーフローガイド片４を取り付ける前の状態を示すものであり、（２）はオーバーフローガイド片４を取り付けた後の状態を示すものである。
【００１１】
図３はトラップケース８内にトラップ部７を収納した状態を後方（排水側）から見た断面説明図であり、１は先端開口部、４はオーバーフローガイド片である。トラップ部７は上向きの給水姿勢である。トラップケース８はトラップ部７を囲むもので、内側壁面９を下方にいたるに従い内方傾斜面１０としている。このために、オーバーフローする洗浄水はトラップ部７から先端開口部１を通じてガイド部６によってトラップケース８の内側壁面９方向に振り分けられ水滴となって落下し内側壁面９に衝突するが、内側壁面９は下方にいたるに従い内方傾斜面１０としているために、オーバーフローする洗浄水は内方傾斜面１０に沿って流下し、水滴の滴下音は小さなものとなる。トラップケース８は塩化ビニル樹脂、ポリエチレン等の合成樹脂で形成するのが好ましいものであるがこの材料に限定されるものではない。
【図面の簡単な説明】
【００１２】
【図１】本発明におけるオーバーフローガイド片の取り付け状態を示す斜視図。
【図２】図１に示す実施例と異なった実施例のオーバーフローガイド片の取り付け状態を示す斜視図。
【図３】トラップケースにトラップ部を収納した状態を示す断面図。
【図４】ターントラップ式水洗便器の従来例の断面図。
【図５】ターントラップ式水洗便器の従来例の要部説明図。
【図６】ターントラップ式水洗便器の従来例の要部分解図。
【符号の説明】
【００１３】
１                  先端開口部
２                  先端筒
３                  鍔部
４                  オーバーフローガイド片
５                  取り付け部
６                  ガイド部
７                  トラップ部
８                  トラップケース
９                  内側壁面
１０                内方傾斜面
【図１】
2008267003.tif 000003
【図２】
2008267003.tif 000004
【図３】
2008267003.tif 000005
【図４】
2008267003.tif 000006
【図５】
2008267003.tif 000007
【図６】
2008267003.tif 000008